(57)【特許請求の範囲】
【請求項１】
棒体を有し、上方に開口した縦孔を塞ぐ蓋体を開閉するための蓋体開閉用治具であって、
前記棒体は、
当該棒体の長手方向の一方端に当接部を備え、前記当接部は、前記棒体の長手方向の一方の端側部位を断面が正方形又は長方形の四角柱状とし、下方に前記蓋体の上面に当接することが可能な当接面を有して成り、且つ、前記棒体の長手方向の他方端に作業員が手で持つことができる持ち手を備えると共に、
前記当接部と前記持ち手部との間から突出部を突出させ、この突出部の先端に、前記蓋体の縁近傍に設けられた被引き掛け部に引き掛けることができる引き掛け部が設けられ、
更に、前記棒体の前記突出部と前記持ち手部との間に脚部が設けられており、
前記脚部は、前記蓋体が斜めに持ち上げられて開いた状態を保持するためのものであって、脚部本体と、前記脚部本体の長手方向の一方を前記棒体に連結する軸部とを有して構成され、
前記脚部本体は、前記棒体の長手方向に沿った状態から前記棒体に対し所望の角度で交差した状態までの範囲で、前記軸部を中心として揺動することが可能になっている
ことを特徴とする蓋体開閉用治具。
【請求項２】
前記脚部本体は、断面が上方に開口したコ字状の枠体であって、前記脚部本体の３つの内側面のうち２つの内側面の間となる内側面が前記棒体の下面に当接することで、前記脚部本体が前記棒体の長手方向に沿った状態よりも揺動することを規制し、
前記脚部本体の前記軸部側となる端部にストッパが設けられて、前記ストッパが前記棒体の上面に当接することで、前記棒体に対し所望の角度で交差した状態よりも揺動することを規制していることを特徴とする請求項１に記載の蓋体開閉用治具。
【発明の詳細な説明】
【技術分野】
【０００１】
本発明は、マンホール蓋等の相対的に重量のある蓋体を作業員が人力で開閉するために用いる開閉用治具の構成に関する。
【背景技術】
【０００２】
マンホール蓋等の相対的に重量のある蓋体を人力で開閉するために用いる開閉用治具としては、例えば特許文献１に示されるマンホール蓋の開閉器や、特許文献２に示されるマンホールの蓋開閉具が既に公知になっている。
【０００３】
特許文献１のマンホール蓋の開閉器は、作業員が手で握る握り部と、この握り部に一方端が連接された棒状部材と、棒状部材の握り部とは反対側に設けられ且つ左右方向に延びる張出部が形成された差し込み部とを有している。
そして、このような特許文献１のマンホール蓋の開閉器によれば、差し込み部をマンホール蓋の長孔に差し込んだ後、開閉器の棒状部材を９０度回転させて、張出部がマンホール蓋の長孔の側方周縁に引き掛かった状態にして、作業員が握り部を握ってマンホール蓋を上方に持ち上げる操作を行うことによりマンホール蓋を開くことができる。
【０００４】
特許文献２のマンホールの蓋開閉具は、台座と、台座に基端部が揺動自在に装着された懸垂棒と、懸垂棒の台座に支持された基端部と先端部との間に設けられた引き掛け部取付部と、この引き掛け部取付部に取り付けられた引き掛部とを有している。
そして、このような特許文献２のマンホールの蓋開閉具によれば、台座をマンホールの周縁に設置し、引き掛け部をマンホール蓋の中心部に引き掛けた後、懸垂棒の先端部を持って台座側に揺動させる操作を行うことにより、梃子作用でマンホール蓋を開くことができる。
【先行技術文献】
【特許文献】
【０００５】
【特許文献１】特開平６−１０８４８６号公報
【特許文献２】実開平１−１４１８４７号公報
【発明の概要】
【発明が解決しようとする課題】
【０００６】
もっとも、特許文献１のマンホール蓋の開閉器を用いてマンホール蓋を開く操作では、人力のみで相対的に重量のあるマンホール蓋を持ち上げる必要があるので、作業負担が大きく、作業条件によっては複数の作業員でマンホール蓋を持ち上げる必要がある。
【０００７】
この点、特許文献２のマンホールの蓋開閉具を用いてマンホール蓋を開く操作は、前記したように梃子作用を利用しているので、特許文献１のマンホール蓋の開閉器を作業員の持ち上げる力のみを用いる場合に比較して作業負担が軽減されている。
【０００８】
しかしながら、特許文献１のマンホール蓋の開閉器を用いる場合には、台座の床面的、路面的な面に接した部位が支点となるところ、この支点を構成する台座はマンホールの周縁部よりも外側に配置されるので、台座が配置される床面的、路面的な面が軟らかい地面等となる場合がある。このため、台座が不安定となって、懸垂棒を操作するときに台座が動いたり転倒したりして、マンホール蓋を上手く持ち上げられないおそれがある。
【０００９】
そこで、本発明は、作業員が単独で操作することができるように梃子作用を利用しつつ、支点を構成する部位を縦孔の周縁部よりも内側に配置することができる蓋体開閉用治具を提供することを目的としている。
【課題を解決するための手段】
【００１０】
本発明に係る蓋体開閉用治具は、棒体を有し、上方に開口した縦孔を塞ぐ蓋体を開閉するための蓋体開閉用治具であって、前記棒体は、当該棒体の長手方向の一方端に当接部を備え、前記当接部は、前記棒体の長手方向の一方の端側部位を断面が正方形又は長方形の四角柱状とし、下方に前記蓋体の上面に当接することが可能な当接面を有して成り、且つ、前記棒体の長手方向の他方端に作業員が手で持つことができる持ち手を備えると共に、前記当接部と前記持ち手部との間から突出部を突出させ、この突出部の先端に、前記蓋体の縁近傍に設けられた被引き掛け部に引き掛けることができる引き掛け部が設けられ、更に、前記棒体の前記突出部と前記持ち手部との間に脚部が設けられており、前記脚部は、前記蓋体が斜めに持ち上げられて開いた状態を保持するためのものであって、脚部本体と、前記脚部本体の長手方向の一方を前記棒体に連結する軸部とを有して構成され、前記脚部本体は、前記棒体の長手方向に沿った状態から前記棒体に対し所望の角度で交差した状態までの範囲で、前記軸部を中心として揺動することが可能になっていることを特徴としている（請求項１）。上方に開口した縦孔は、例えばマンホール等である。蓋体は、例えばマンホール蓋等である。
【００１１】
作業員が持ち手を持って、引き掛け部を蓋体の被引き掛け部に引き掛け、当接部を蓋体に当接させた状態とした後、当接部を中心とした円の軌道を描くように、持ち手部を斜め上方に向けて動かす操作を行う。これにより、当接部が蓋体に当接した箇所が支点、作業員が持ち手部を持って力を加えた箇所が力点、引き掛け部が被引き掛け部に引き掛けられた箇所が作用点となり、且つ、蓋体の持ち手部とは反対側の縦孔の開口縁に接する箇所が第２の支点となって、梃子作用により、蓋体が縦孔の開口縁に接しつつ斜めに持ち上げられて開いた状態となる。
しかも、支点は、当接部が蓋体に当接した箇所となるので、常に相対的に固い面に支点が配置されることから、支点が不安定になることがない。
【００１２】
更に、通常時では脚部を棒体に沿った状態とし、蓋体が斜めに持ち上げられたときに、脚部を揺動させて脚部の端を縦孔の周縁の床面的、路面的な面に当接させることで、蓋体が斜めに持ち上げられて開いた状態を保持することができる。
【００１３】
本発明に係る蓋体開閉用治具では、前記脚部本体は、断面が上方に開口したコ字状の枠体であって、前記脚部本体の３つの内側面のうち２つの内側面の間となる内側面が前記棒体の下面に当接することで、前記脚部本体が前記棒体の長手方向に沿った状態よりも揺動することを規制し、前記脚部本体の前記軸部側となる端部にストッパが設けられて、前記ストッパが前記棒体の上面に当接することで、前記棒体に対し所望の角度で交差した状態よりも揺動することを規制していることを特徴としている（請求項２）。
【発明の効果】
【００１４】
以上のように、本発明に係る蓋体開閉用治具によれば、作業員が持ち手を持って、引き掛け部を蓋体の被引き掛け部に引き掛け、当接部を蓋体に当接させた状態とした後、当接部を中心とした円の軌道を描くように、持ち手部を斜め上方に向けて動かす操作を行う際には、当接部が蓋体に当接した箇所が支点、作業員が持ち手部を持って力を加えた箇所が力点、引き掛け部が被引き掛け部に引き掛けられた箇所が作用点となり、且つ、蓋体の持ち手部とは反対側の縦孔の開口縁に接する箇所が第２の支点となって、梃子作用により、蓋体を斜めに持ち上げられて開いた状態にすることができる。このため、作業員は、相対的に小さな力で相対的に重量のある蓋体を開閉することが可能である。
【００１５】
また、本発明に係る蓋体開閉用治具によれば、支点は、当接部が蓋体に当接した箇所となるため、常に相対的に固い面に支点が配置されることから、支点が不安定になることがないので、梃子作用を利用した蓋体の開閉のための操作を確実に行うことが可能となる。
【００１６】
更に、本発明に係る蓋体開閉用治具によれば、通常時では脚部を棒体に沿った状態とし、蓋体が斜めに持ち上げられたときに、脚部が棒体に支持された箇所を中心に脚部を揺動させて、脚部の端を縦孔の周縁の面に当接させることで、蓋体が斜めに持ち上げられて開いた状態を保持することができる。
【図面の簡単な説明】
【００１７】
【図１】図１は、この発明に係る蓋体開閉用治具の梃子作用を利用した使用時における状態を示した説明図であり、図１（ａ）は、前記蓋体開閉用治具の平面図、図１（ｂ）は、前記蓋体開閉用治具の側面図、図１（ｃ）は、前記蓋体開閉用治具の底面図、図１（ｄ）は、図１（ｃ）のＡ−Ａ線断面図、図１（ｅ）は、図１（ｃ）のＢ−Ｂ線断面図である。
【図２】図２は、この発明に係る蓋体開閉用治具の脚部が開いた状態を示した説明図である。
【図３】図３は、この発明に係る蓋体開閉用治具を使用してマンホール蓋を開く工程の一例を説明するためのものであり、蓋体開閉用治具や、マンホール蓋や、被引き掛け部を概略的に示した図である。
【図４】図４は、この発明に係る蓋体開閉用治具の引き掛け部の変形例を示した説明図である。
【発明を実施するための形態】
【００１８】
以下、本発明の実施例について添付図面を参照しながら説明する。
【００１９】
図１及び図２に示される蓋体開閉用治具１は、マンホール蓋１００のうち、フック等で引き掛けることが可能な横棒部分を備えた被引き掛け部１０１を有する型の開閉に好適な治具である。被引き掛け部１０１の横棒部分を有する構成は、多種多様であると共に公知のもので良いので、その説明を省略する。
【００２０】
蓋体開閉用治具１は、この実施例では例えば剛性を有する金属等の素材で形成された棒体２により主に構成されている。但し、棒体２の素材は、高い頻度で使用しても撓んだり折れたりしない性質を有すれば、特に金属に限定されない。
【００２１】
棒体２は、この実施例では直線状に延びたものであり、例えばマンホール蓋１００の直径よりも長い、相対的に長尺のものとなっている。そして、棒体２は、マンホール蓋１００の略平面状の上面１００ａに当接する当接部２１を長手方向の一方端に有している。
【００２２】
棒体２の当接部２１を有する端側部位は、マンホール蓋１００の上面１００ａにガタツキなく当接し且つ当接した状態を保持することができるように、図１（ｄ）に示されるように、断面が正方形又は長方形であり、下方に当接面２ａを有する四角柱状となっている。もっとも、棒体２の製造、加工等が容易なように、棒体２の当接部以外の部位も断面が正方形又は長方形の四角柱状としても良い。
【００２３】
また、棒体２は、当接部２１とは反対側端から所定範囲にわたって持ち手部２２を有している。持ち手部２２は、作業員が片手で又は両手で持つための部位であり、この実施例では四角柱状となっているが、より持ちやすいように円柱状としても良く、更に滑り止め処理がなされていても良い。
【００２４】
更に、棒体２は、当接部２１と持ち手部２２との間に下方に向けて延びる突出部２３を有し、この突出部２３の先端に引き掛け部２４を有している。すなわち、棒体２の下面２ａが持ち手部２２側まで続く場合には、突出部２３はこの下面２ａから突出している。引き掛け部２４は、この実施例では、先端が弧状に湾曲して、マンホール蓋１００の被引き掛け部１０１の横棒部分の下側に差し込んで被引き掛け部１０１の横棒部分に引き掛けやすくなっている。また、突出部２３の棒体２からの突出寸法は、マンホール蓋１００を斜めに持ち上げる時に、マンホール２００とマンホール蓋１００との間に、マンホール２００内の視認等のために十分な空間を形成することが可能であれば特に限定されない。
【００２５】
棒体２の当接部２１を有する端から引き掛け部２４までの寸法Ｌ１（図２に示す。）は、例えば一般的なマンホール蓋１００の中心から被引き掛け部１０１までの寸法と同じか近似した値となっている。もっとも、下記するように、マンホール蓋１００の被引き掛け部１０１、１０１間の任意の上面１００ａの位置に当接部２１を当接し、被引き掛け部１０１に引き掛け部２４を引き掛けて、マンホール蓋１００を斜めに持ち上げることが可能であれば、その寸法Ｌ１も特に限定されない。
【００２６】
そして、この実施例では、棒体２は、突出部２３と持ち手部２２との間に棒体２の傾斜状態を保持するための脚部３を有している。
【００２７】
脚部３は、脚部本体３１と、脚部本体３１を棒体２に揺動可能に連結する軸部３２と、脚部本体３１の軸部３２とは離れた側となる下端部に設けられたフラットバー３３と、脚部本体３１の軸部３２に近接した側となる上端部に設けられたストッパ３５とを有して構成されている。
【００２８】
脚部本体３１は、図１（特に図１（ｅ））に示されるように、断面が上方に開口したコ字状の枠体であり、図１（ｂ）と図２とで示されるように、軸部３２及び下記するストッパ３５により、棒体２の長手方向に沿った状態から棒体２の長手方向に対し交差した状態（この実施例では９０度の角度で交差した状態）までの範囲で揺動することが可能となっている。
【００２９】
脚部本体３１の３つの内側面３１ａ、３１ｂ、３１ｃは、棒体２の長手方向に沿った状態において、棒体２の下面２ａ、側面２ｂ、２ｃに接することができる。
【００３０】
フラットバー３３は、蓋体開閉用治具１の転倒防止のためのものであり、脚部本体３１の下端と直角に交差して、脚部本体３１とフラットバー３３とでＴ字形状をなしている。すなわち、フラットバー３３の横幅は、図１（ａ）及び図１（ｃ）に示されるように、棒体２の横幅よりも大きくなっている。これにより、フラットバー３３がマンホール２００の周縁の床面的、路面的な面Ｒに接したときには、面Ｒに対し相対的に広い範囲で接するので、脚部本体３１ひいては蓋体開閉用治具１を安定した状態で支持することができる。なお、フラットバー３３は、例えば金属製のものであり、脚部本体３１に溶接等で固定されている。
【００３１】
そして、この実施例では、脚部本体３１が棒体２の長手方向に沿った状態を維持するために、この実施例では、棒体２の側面２ｂ、２ｃにそれぞれ係合突部２５が形成されていると共に、脚部本体３１の棒体２と沿った状態で係合突部２５、２５と対応する位置に係合孔３４、３４が形成されている。係合突部２５は、図示しないが、バネ等により棒体２の側面２ｂ、２ｃから出没することができるようになっており、係合孔３４と合致したときに棒体２の側面２ｂ、２ｃから突出して係合孔３４に挿入・係合される。
【００３２】
もっとも、脚部本体３１が棒体２の長手方向に沿った状態を維持するための構造は、上記した係合突部２５、係合孔３４から成る構造に限定されない。例えば、図示しないが、ゴムバンドや紐を巻回したり、ビス等を脚部本体３１と棒体２との双方に形成された孔が一致した状態で差し込んだりしても良い。
【００３３】
ストッパ３５は、脚部本体３１の棒体２との交差する角度が所望の角度（例えば９０度）の角度よりも大きくなることを防止するためもので、コ字状の板形状をなしており、脚部本体３１の軸部３２よりも端側の上端部において脚部本体３１の側面２ｂを有する部位と側面２ｃを有する部位との間に架設された部位を有している。なお、ストッパ３５も、例えば金属製のものであり、脚部本体３１に溶接等で固定されている。
【００３４】
これにより、脚部本体３１が棒体２に対し所望の角度（例えば９０度）度の角度以上に軸部３２を中心として回転しようとしても、脚部本体３１のストッパ３５の架設部分が棒体２に当接するので、脚部本体３１の棒体２との交差する角度が所望の角度（例えば９０度）よりも大きくなることが防止される。
【００３５】
上記した構成の蓋体開閉用治具１を利用してマンホール蓋１００を持ち上げる工程について、図３を用いて説明する。但し、図３に示される蓋体開閉用治具１、マンホール蓋１００及び被引き掛け部１０１の形状は、かかる工程の説明の便宜のために概略的に示されており、実際の蓋体開閉用治具１、マンホール蓋１００や被引き掛け部１０１の形状とは必ずしも一致していない。
【００３６】
まず、図３（ａ）に示されるように、棒体２の引き掛け部２４をマンホール蓋１００の被引き掛け部１０１に引き掛けた後、棒体２の当接部２１をマンホール蓋１００の上面１００ａに当接させる。次に、棒体２の持ち手部２２を持って、当接部２１がマンホール蓋１００の上面１００ａと当接した状態を維持しつつ、図３（ｂ）の矢印に示されるように、マンホール蓋１００の上面１００ａに接した当接部２１を中心に円軌道を描くように、斜め上方に持ち上げる。これらの工程の段階では、脚部本体３１は、作業の支障にならないように、棒体２の長手方向に沿った状態に固定されている。
【００３７】
これにより、当接部２１がマンホール蓋１００の上面１００ａに当接した箇所が支点、作業員が持ち手部２２を持って力を加えた箇所が力点、引き掛け部２４が被引き掛け部１０１に引き掛けられた箇所が作用点となり、且つ、マンホール蓋１００の持ち手部２２とは反対側のマンホール２００の開口縁に接する箇所が第２の支点となって、梃子作用により、図３（ｂ）に示されるように、マンホール蓋１００を斜めに持ち上げられて開いた状態にすることができる。
【００３８】
そして、軸部３２を中心に脚部本体３１を揺動させゆき、マンホール２００の外周に位置する面Ｒにフラットバー３３を当接させることで、図３（ｃ）に示されるように、マンホール蓋１００が斜めに持ち上げられて開いた状態を保持することが可能である。
【００３９】
図１に示される蓋体開閉用治具１の変形例が、図４に示されている。以下、この蓋体開閉用治具１について、図４を用いて説明する。但し、図１に示される蓋体開閉用治具１と同様の構成については、同一の符号を付してその説明を省略する。
【００４０】
図４に示される蓋体開閉用治具１は、被引き掛け部がマンホール蓋１００に形成された通孔（図示せず）である型の場合に、当該マンホール蓋１００を開閉するのに好適な治具である。すなわち、蓋体開閉用治具１の引き掛け部２６は、先端が９０度よりも大きな角度で曲がった、いわゆる略レの字形状をなしていると共に、その幅Ｌ２（図４（ｂ）に示す。）は、マンホール蓋１００に形成された通孔より小さな寸法となっている。なお、マンホール蓋１００の通孔の配置及び形状は、多種多様であると共に公知のもので良いので、その説明を省略する。
【００４１】
これにより、引き掛け部２６をマンホール蓋１００の通孔に引き掛け部２６を挿入した後、先端がマンホール蓋１００の通孔の開口の位置からマンホール蓋１００の外周側に移行するように、蓋体開閉用治具１を動かすことで、引き掛け部２６の先端部をマンホール蓋１００の通孔の周縁部位となる内側面に当接させて引き掛けることができる。すなわち、マンホール蓋１００の通孔及びその周縁部位が被引き掛け部として機能する。
【００４２】
しかるに、引き掛け部２６をマンホール蓋１００の通孔に挿入してその周縁に引き掛けた後は、図１の蓋体開閉用治具１と同様の操作により、マンホール蓋１００を斜めに持ち上げられて開いた状態にし、更にそのマンホール蓋１００が斜め上方に持ち上げられた状態を保持することが可能である。
【符号の説明】
【００４３】
１  蓋体開閉用治具
２  棒体
２ａ  下面
２１  当接部
２２  持ち手部
２３  突出部
２４  引き掛け部
２６  引き掛け部
３  脚部
３１  脚部本体
３１ａ  内側面
３１ｂ  内側面
３１ｃ  内側面
３２  軸部
３３  フラットバー
３５  ストッパ
１００  マンホール蓋
１００ａ  上面
１０１  被引き掛け部
２００  マンホール
【図１】
0006489430.tif 000002
【図２】
0006489430.tif 000003
【図３】
0006489430.tif 000004
【図４】
0006489430.tif 000005